(57)【要約】【課題】 ユーザが指定する条件に合致した情報の存在を、電話端末の機能を利用してユーザに通知する呼制御サーバを提供する。  【解決手段】 呼制御サーバ１００は、ＬＡＮ５００を介して電話端末２００の発着信、通話の制御を行うと共に、ユーザが指定したインターネット／イントラネット３００上のサーバ内の情報を、ユーザが指定する条件に基づいて検索し、条件を満足する情報の存在をユーザが指定する方法、例えば電話端末の着信鳴動やＬＥＤの点灯、点滅、ＬＣＤへの表示、音声呼び出しなどの着信に係わるシーケンスで電話端末２００へ通知する。【選択図】 図１
2010034927.tif 000002
【特許請求の範囲】
【請求項１】
複数の電話端末の発着信を制御する呼制御機能とネットワークを介して情報を取得する情報取得機能を有する呼制御サーバであって、
ネットワークを介して所定の情報を検索するための共通キーワードを登録する共通キーワード登録手段と、前記共通キーワード登録手段に登録された１以上の共通キーワードを含む情報検索通知条件を自サーバに帰属する電話端末と対応付けて登録する情報検索通知条件登録手段と、情報通知方法を前記電話端末と対応付けて登録する情報通知方法登録手段と、情報転送方法を前記電話端末と対応付けて登録する情報転送方法登録手段と、ネットワークを介して定期または非定期に所定の情報源にアクセスして収集した情報群または自サーバに配信される情報群の中に該情報検索通知条件登録手段に登録されている情報検索通知条件を満足する検索情報の有無を判定する検索情報判定手段と、を有し、
前記検索情報判定手段が前記情報検索通知条件を満足する検索情報が有ると判定した場合に、当該情報検索通知条件に対応する前記電話端末へ、前記情報通知方法に従って前記検索情報の存在を通知すると共に、
前記電話端末に対応する前記情報転送方法または当該電話端末からの操作信号に従って、前記検索情報の一部または全てまたは当該検索情報に関連付けられたアドレスに存在する別の情報を取得して、前記情報転送方法が指定する宛先へ転送することを特徴とする情報検索通知機能付き呼制御サーバ。
【請求項２】
請求項１に記載の呼制御サーバであって、
前記検索情報の一部または全てまたは当該検索情報に関連付けられたアドレスに存在する別の情報を前記情報転送方法が指定する宛先へ転送する際に、当該情報の出力形態を変換する情報変換手段をさらに有し、
前記検索情報の転送先がプリンタまたはファクシミリまたは電子メールまたはディスプレイのいずれかの情報出力装置であった場合に、前記情報変換手段は、前記情報出力装置の種別に対応して当該情報の出力形態を変換することを特徴とする情報検索通知機能付き呼制御サーバ。
【請求項３】
請求項１に記載の呼制御サーバであって、
前記検索情報の存在を通知する通知シーケンスは、前記電話端末への着信通知に係る呼制御信号に前記検索情報の存在を示すデータを挿入することを特徴とする情報検索通知機能付き呼制御サーバ。
【発明の詳細な説明】
【技術分野】
【０００１】
本発明は、呼制御サーバと複数の電話端末から成る電話システムにおいて、インターネットまたはイントラネットを介して所定の情報を収集して配下の電話端末に通知する機能を有する呼制御サーバに関する。
【背景技術】
【０００２】
特許文献１には、ニュース等のリアルタイム情報をインターネット上のサーバから取得して、表示器を有する電話端末に表示する技術が開示されている。
この技術では、ディジタル交換装置が、インターネット上のサーバに定期的にリアルタイム情報の取得要求を送信し、その結果受信したリアルタイム情報を配下の電話端末の表示器で表示可能なフォーマットに変換して一時的に保存し、保存したリアルタイム情報を電話端末に送信して表示させる。
これにより、従来の構内交換システムのように、電話番号や時刻、動作状況といった自システム内のクローズされた情報の表示だけでなく、インターネット上の情報を、データ端末などを用いない簡易な方法で表示させることを可能にしている。
また、電話端末からの情報取得指示により、保存したリアルタイム情報を電話端末に送信する方法や、新たなリアルタイム情報を取得した場合に、電話端末の状態（通話中か否かなど）に応じて、このリアルタイム情報を電話端末に送信するか否かを選択する技術も開示されている。
【特許文献１】特開２００３−７００３６号公報
【発明の開示】
【発明が解決しようとする課題】
【０００３】
しかしながら、特許文献１で開示されているような、予め設定されているインターネット上の特定の場所にある情報を、その内容によらず無条件でそのまま表示するだけでは、ユーザが必要とする情報が多くの不要な情報に埋もれてしまう恐れがある。
また、特許文献１では、電話端末で表示可能なフォーマットに変換したり、電話端末の状態に応じて通知するか否かを判断する機能は開示されているが、情報自体の内容により通知を行うか否かを判定したり、通知方法を決定する技術は開示されていない。
【０００４】
本発明は上記事情に鑑みてなされたものであり、本発明の目的は、ユーザが指定する条件に合致した情報の存在を、電話端末の機能を利用したユーザの希望する方法でタイムリーに通知するサービスを提供することにある。
【課題を解決するための手段】
【０００５】
上記課題を解決するために、本発明において、電話端末を配下に接続して制御を行う呼制御サーバが、予めユーザによって指定されているインターネットやイントラネット上のサーバアドレスに存在する情報を検索し、予めユーザによって指定されている条件を満たした情報が存在する場合に、電話端末に対する着信通知の機能を利用して情報の存在を通知する。
例えば特定のキーワードが、検索した情報に含まれているか否かや、情報の日時や価格などの数値が検索条件の数値式を満足するか否かを判定する。  
【０００６】
また、通知方法については、例えば複数ある着信鳴動音の一つであったり、本来は電話端末の外線および内線の捕捉や、着信を示すために割り当てられるボタンと一体化したＬＥＤの点灯、点滅表示であったり、音声呼び出し機能を利用した音声通知であったりする。検索した情報自体は、予め指定された装置に自動的に転送するか、ユーザの電話端末の操作で転送する。
【０００７】
このために、本発明は、複数の電話端末の発着信を制御する呼制御機能とネットワークを介して情報を取得する情報取得機能を有する呼制御サーバであって、ネットワークを介して所定の情報を検索するための共通キーワードを登録する共通キーワード登録手段と、前記共通キーワード登録手段に登録された１以上の共通キーワードを含む情報検索通知条件を自サーバに帰属する電話端末と対応付けて登録する情報検索通知条件登録手段と、情報通知方法を前記電話端末と対応付けて登録する情報通知方法登録手段と、情報転送方法を前記電話端末と対応付けて登録する情報転送方法登録手段と、ネットワークを介して定期または非定期に所定の情報源にアクセスして収集した情報群または自サーバに配信される情報群の中に該情報検索通知条件登録手段に登録されている情報検索通知条件を満足する検索情報の有無を判定する検索情報判定手段と、を有し、前記検索情報判定手段が前記情報検索通知条件を満足する検索情報が有ると判定した場合に、当該情報検索通知条件に対応する前記電話端末へ、前記情報通知方法に従って前記検索情報の存在を通知すると共に、前記電話端末に対応する前記情報転送方法または当該電話端末からの操作信号に従って、前記検索情報の一部または全てまたは当該検索情報に関連付けられたアドレスに存在する別の情報を取得して、前記情報転送方法が指定する宛先へ転送することを特徴とする。
【発明の効果】
【０００８】
本発明によれば、インターネットやイントラネット上の情報に関し、ユーザが指定した条件に合致した情報が存在した場合に、ユーザにとって適切な方法でタイムリーに通知することができ、便利になる。
そこで、ユーザが指定する条件に従って情報を検索して、条件を満足した情報が存在した場合のみ、その存在を示す通知をユーザが指定する特定の方法で行い、情報自体は別の方法で転送することができれば、ユーザにとって有用な情報通知サービスを提供できる。
又、通知の方法として、画面表示以外に、電話端末の着信とは異なる鳴動や、ＬＥＤの点灯や点滅で通知することによって、他の作業を行っている場合であっても必要とする情報の存在をタイムリーに知ることができて便利である。  
又、電話機能の手順をそのまま利用することで、簡易な処理で実現でき、かつ汎用の電話端末でもサービスを提供できる。
【発明を実施するための最良の形態】
【０００９】
以下、本発明の実施の形態について説明する。
【００１０】
図１は、本発明の実施の形態に係る呼制御サーバを含む概略システム構成図である。
【００１１】
図１に示す実施形態では、本発明の呼制御サーバ１００とＬＡＮ５００で接続される複数の電話端末２００から成るＩＰ電話システムを構成すると共に、同じＬＡＮ５００にファイルサーバなどを構築するデータ端末６００とプリンタなどの出力装置７００が接続される。
又、ルータ／ゲートウェイ４００とインターネット／イントラネット３００を介してファクシミリなどの外部通信装置８００が接続される。
【００１２】
呼制御サーバ１００は、ＬＡＮ５００を介して電話端末２００の発着信、通話の制御を行う他、ルータ／ゲートウェイ４００およびインターネット／イントラネット３００を介して、ユーザが指定するサーバ９００に存在する情報を、ユーザが指定する条件に基づいて検索し、その条件を満足する情報が存在するならば、ユーザが指定する方法で電話端末２００へ通知する。
【００１３】
このユーザが指定する通知の方法としては、例えば電話端末の着信鳴動やＬＥＤの点灯、点滅、ＬＣＤへの表示、音声呼び出しなど、通常は着信通知に係わるシーケンスが適用可能である。  
【００１４】
電話端末２００は、呼制御サーバ１００によって制御される一般的なボタン電話端末である。２０１〜２０４は、本発明における情報の存在通知を行うために利用する電話端末２００の各部を示している。
【００１５】
２０１は通話回線を捕捉するための回線ボタンであり、ＬＥＤによる表示機能を備えている。本発明では、呼制御サーバ１００から送信される着信を示す制御信号を利用して、ユーザが指定した情報の存在を通知する目的でＬＥＤを点灯または点滅させる。制御信号には、ＬＥＤ表示させるボタン位置の指定、点灯もしくは点滅の指定、点灯色の指定、点滅の場合は点滅パターンや周期の指定を行う。
【００１６】
２０２は内蔵スピーカであり、着信鳴動音や音声呼び出しの音声を出力する。本発明では、呼制御サーバ１００から送信される着信を示す制御信号や、音声呼び出しの制御信号および着信鳴動音や音声のデータフレームを用いて、ユーザが指定した情報の存在を通知する。
【００１７】
２０３はＬＣＤであり、通常はダイヤル番号、着信時の発信者番号、時刻、設定に関する表示を行う。本発明では、呼制御サーバ１００が電話端末２００に対し、情報の存在を示す文字やキャラクタを、例えば発信者番号の通知に使用するデータフレームに挿入して送信し、ＬＣＤ２０３に表示させる。
【００１８】
呼制御サーバ１００は、情報の存在通知を行った後、自動的に、もしくは情報の存在を通知されたユーザが、ダイヤルボタン２０４や方向キー（図示せず）を操作した場合に、存在の通知がなされた情報の一部または全部、またはその情報と関連付けられた別の情報（例えば、ニュース記事に関連した写真や動画像など）を、電話端末２００やデータ端末６００（各種サーバ、ネットワークストレージ、ビデオプレーヤなども含む）やプリンタなどの出力装置７００、ファクシミリなどの外部通信端末８００に転送する。ユーザの操作内容は、例えば電話端末２００から通常の電話機能に関する設定を呼制御サーバに対して行うための信号を利用する。
【００１９】
次に、本発明の呼制御サーバを詳しく説明する。
【００２０】
図２は、本発明の呼制御サーバ１００の機能ブロック図を示している。  
【００２１】
図示するように、呼制御サーバ１００は、通信インターフェース部１０１と、呼制御部１０２と、ユーザインターフェース部１０３と、情報検索部１０４と、検索情報判定部１０５と、情報取得部１０６と、情報加工部１０７と、情報変換部１０８と、情報転送部１０９と、情報通知部１１０と、共通キーワード登録部１１１と、登録部１１２と、を有する。
【００２２】
通信インターフェース部１０１は、ＬＡＮ５００に対する通信制御と通信プロトコルを実現するインターフェースであって、ＬＡＮ５００を介して繋がる電話端末２００を含むＬＡＮ上の装置や、インターネット／イントラネット３００を介して繋がる外部通信装置８００との通信を行う。
【００２３】
呼制御部１０２は電話端末２００と通信相手端末（図示せず）との発着信、通話等を制御する呼制御部である。  
【００２４】
ユーザインターフェース部１０３は、呼制御に関する設定の他、本発明に係わる設定を行うキー入力やモニタ出力を含むインタフェースである。  
【００２５】
情報検索部１０４は、登録部１１２内の情報検索通知条件ＴＢ（テーブル）１１２１の検索通知条件に従い、通信インターフェース部１０１、ＬＡＮ５００およびルータ／ゲートウェイ４００およびインターネット／イントラネット３００を介して、指定されたサーバ９００内にある情報を取得して検索する。
情報検索通知条件ＴＢ１１２１には、検索の対象となる情報を取得する場所（例えばＵＲＬ（Uniform  Resource  Locator））と情報記述箇所を示す要素とキーワードを含む検索通知条件が、各電話端末２００に対応付けられて登録されている。キーワードとしては、ユーザ毎の固有のキーワードでも良いし、複数のユーザが共通的に使用する共通キーワードから選択することも可能である。共通キーワードは共通キーワード登録部１１１に格納されている。  
【００２６】
検索情報判定部１０５は、情報検索部１０４で検索した結果が、情報検索通知条件ＴＢ１１２１で示される条件を満足するか否かを判定する。検索情報判定部１０５は、検索した結果が条件を満足すると判定した場合に、その旨を情報取得部１０６および情報通知部１１０に通知する。
【００２７】
情報通知部１１０は、検索情報判定部１０５からの指示に従い、登録部１１２の情報の存在通知方法ＴＢ１１２２を参照し、通知を行う電話端末２００に対応した通知方法を選択し、呼制御信号やデータフレームに挿入する情報と共に通知指示を呼制御部１０２に対して行う。鳴動やＬＥＤ表示による通知であれば、鳴動音の種類や鳴動時間、ＬＥＤの点灯色や点滅パターンや周期、通知時間を指定して通知する。ＬＣＤ表示や音声呼び出し機能による通知であれば、情報加工部１０７で加工された情報、例えばテキスト情報の一部を定型文に挿入した文字データや、テキスト情報に対応したキャラクタデータ、テキスト情報を音声に変換した音声データと共に、通知指示を呼制御部１０２に対して行う。
【００２８】
転送情報取得部１０６は、登録部１１２内の情報転送方法ＴＢ１１２３に登録されている内容に従い、転送する情報を取得する。転送する情報は、情報検索部１０４で取得した情報に含まれる場合と、情報検索部１０４で取得した情報に示されているリンク先に存在する場合とがある。前者の場合は、情報検索部１０４で取得済みの情報から指定の情報を抜き取る。後者の場合は、リンク先にアクセスしてその情報を取得する。リンク先に存在する情報は、例えば検索した情報に関連する画像や音声ファイル、文書ファイルなどである。
【００２９】
情報変換部１０８は、情報転送方法ＴＢ１１２３に登録されている転送先の装置に応じて、情報を変換したりパッケージ化する。転送先は、例えばネットワークプリンタやファクシミリであったり、ネットワーク上の記憶装置であったり、電子メールである。  
【００３０】
情報転送部１０９は、情報変換部１０８で変換された情報を転送先の装置に送信するための制御を行う。例えば、転送先がネットワークプリンタであれば対応するネットワークプリンタのドライバと、ドライバを用いてプリントアウトを行うソフトウェアがインストールされている。ファクシミリの場合であれば、指定された電話番号のファクシミリへ自動発信してファクシミリデータを送信するソフトウェアが、電子メールの場合であれば、メーラソフトウェアがインストールされている。それらのソフトウェアを自動的に起動して取得した情報を含むデータを送信する。  
又、情報転送部１０９は、呼制御部１０２を介して受信する電話端末２００の端末操作信号によって動作しても良い。  
尚、転送先の装置に応じて変換された情報は、情報転送部１０９から通信インタフェース１０１、ＬＡＮ５００を介して、ＬＡＮ５００やインターネット／イントラネット３００の先に接続されている装置に転送される。
【００３１】
このように、ユーザが設定した情報検索通知条件に従い、インターネットやイントラネット上の指定の場所にある情報を検索し、検索した情報が情報検索通知条件を満たしている場合のみ、電話端末２００に対し、通常の電話機能で使用する着信信号やデータフレームを利用して通知し、ユーザが設定した情報転送方法に従い、検索した場所もしくはそれと関連付けられた場所にある情報を取得し、転送先の装置に対応したデータに変換して転送する。これによりユーザは、パーソナルコンピュータ等を起動することなしに、欲しい情報の存在を常時起動している電話端末でタイムリーに知ることができ、詳細は後で転送先から取得することができる。
【００３２】
図３は、図２の登録部１１２を模式的に表したものである。
【００３３】
１１２４の列は、情報の存在通知を行う対象である電話端末２００のアドレスが登録される。ここではＩＰアドレスを例に記載したが、呼制御部１０２が管理する内線電話番号であっても良い。
【００３４】
１１２１の列は、情報検索通知条件を登録するテーブルであり、検索する情報が存在する場所と電話端末２００への通知条件が指定される。検索する情報が存在する場所は、例えばインターネットやイントラネットのＵＲＬであり、通知条件はキーワードと論理条件や数値と数値条件等が指定される。本例では、インターネットのＷｅｂサイトが、情報の見出しや要約、更新情報、リンク先を公開するＸＭＬ（Extensible  Markup  Language）で記述されたＲＳＳ（Resource  Description  Framework  Site  Summary又は、Rich  Site  Summary又は、Really  Simple  Syndication）を対象に記載した。
＜＞で囲まれた部分はタグと呼ばれる情報要素を示す部分である。情報要素とは、例えば＜title＞が示す記述箇所には見出し、<description>が示す記述箇所にはタイトルに関連した記事の要約、＜pubDate>が示す記述箇所にはその情報の更新日時、＜link＞が示す記述箇所には情報発信元のＵＲＬや関連するＷｅｂサイトのＵＲＬがあり、階層的に記述されている。
【００３５】
１１２２の列は、情報の存在通知方法を登録するテーブルであり、電話端末２００の着信機能に係わる通知種別とパラメータが指定される。
【００３６】
１１２３の列は情報転送方法を登録するテーブルである。転送種別と、転送先を示すアドレスや電話番号、転送する情報が存在する場所が指定される。転送する情報が、通知条件と一致したＲＳＳの中に含まれる場合は、そのＲＳＳの階層にある特定の要素が転送情報として指定される。転送する情報が通知条件と一致したＲＳＳの中に含まれない場合は、転送する情報が存在するＵＲＬを直接指定するか、通知条件と一致したＲＳＳの階層にあるリンク先を示す要素が指定される。リンク先を示す要素にはリンク先のＵＲＬが記述されており、そのＵＲＬにアクセスして情報を取得し転送する。
【００３７】
図３の登録内容を例に具体的な動作について説明する。
尚、ユーザが、図に示すような登録の書式でそのまま入力しても良いが、通常はＣＧＩ（Common  Gateway  Interface）などを用いた設定画面を搭載して、ユーザに解りやすい書式で入力できるようにする。  
【００３８】
１１２５および１１２６の行では、１７２．１６．１．１のＩＰアドレスを持つ電話端末２００に対する、２つの情報の存在通知と情報転送に係わる内容が登録されている。
【００３９】
一つ目（１１２５の行）は、気象情報に関するＷＥＢサイトの検索を例にしている。http://**1.co.jp/**1/rss/**1.xmlおよび、http://**1.co.jp/**1/rss/**2.xmlのＵＲＬで提供されているＲＳＳの中の<title>の記述内容を検索し、「東京」と共に「注意報」または「警報」の記述が存在する場合に、情報の存在通知および情報の転送を行う（１１２１の列）。
情報の存在通知方法は、鳴動音３（予めインプリメントされている音源の種類）による電話端末２００の鳴動であり、５秒間の鳴動を６０秒間隔で１０回起動する（１１２２の列に記載）。
情報転送の転送種別は電子メールであり、*1@*1.co.jpの宛先アドレスに送信する。転送する情報は、検索したＲＳＳの中の通知条件に一致した<title>に記述されている内容と、その階層下にある<description>に記述されている内容であり、それぞれ電子メールの題名と本文に挿入して送信する（１１２３の列）。
【００４０】
二つ目（１１２６の行）は、特定企業の株価に関するＷＥＢサイトの検索を例にしている。http://**2.co.jp/**2/rss/**2.xmlのＵＲＬで提供されているＲＳＳの<title>と<description>の記述内容を検索する。<title>に「（株）＊＊＊」の記述が存在し、その階層下の<description>に記述されている数値が５００以上（この場合株価が５００円以上であることを意味する）の場合に、情報の存在通知および情報の転送を行う（１１２１の列）。
情報の存在通知方法は２つあり、一つは回線ボタン（数字の１５はボタンの位置を示す）のＬＥＤ表示である。点灯時の発光色が赤色で、３０秒間隔で１０秒間の点滅をパターン２（予めインプリメントされている点滅パターンの種類）で制御する。尚、数字１のボタン（ダイヤルボタン）を押下することでＬＥＤ表示が停止する（１１２２の列）。  
もう一つの情報の存在通知方法はＬＣＤ表示である。検索したＲＳＳの中で通知条件に一致した<title>に記述されている内容（この場合は企業名）と、定型文である「の現在の株価は」と、<title>の階層下の<description>に記述されている数値（株価）と、定型文である「円です」を繋げて「（株）＊＊＊の現在の株価は＊＊＊円です」と表示する他、株価上昇を示すキャラクタを表示する。尚、数字１のボタン（ダイヤルボタン）を押下することでＬＥＤ表示がクリアされる（１１２２の列）。
情報転送の転送種別はプリンターであり、プリンター１（アドレスとプリンタの機種、適用ドライバが関連付けられている）に情報をプリントアウトする。プリントアウトする情報は、検索したＲＳＳの中で通知条件に一致した<title>の階層下にある、<link＞に記述されているリンク先のＵＲＬにアクセスして取得する。リンク先の情報は、例えば株価のチャート図などの画面情報である（１１２３の列）。
【００４１】
１１２７および１１２８の行では、１７２．１６．１．２のＩＰアドレスを持つ電話端末２００に対する、２つの情報の存在通知と情報転送に係わる内容が登録されている。
【００４２】
一つ目（１１２７の行）は、ニュースに関するＷＥＢサイトの検索を例にしている。
http://**3.co.jp/**3/rss/**3.xmlのＵＲＬで提供されているＲＳＳの<title>に、「東京」または「関東」の記述があり、<category>に「事件」または「事故」の記述が存在する場合に、情報の存在通知および情報転送を行う（１１２１の列）。
情報通知方法は２つあり、一つは回線ボタン（数字の１０はボタンの位置を示す）のＬＥＤ表示である。点灯時の発光色が緑色、３０秒間隔で５秒間の点滅をパターン１（予めインプリメントされている点滅パターン）で行う。尚、数字１のボタン（ダイヤルボタン）を押下することでＬＥＤ表示が停止する（１１２２の列）。
もう一つの情報の存在通知方法は、音声呼び出し機能を使った通知である。検索したＲＳＳの中で通知条件と一致した<title>の階層下にある<description>に記述されている内容を音声合成技術により音声に変換し、ユーザが電話端末の保留ボタンを押下したことを検知した場合に、変換した音声を電話端末２００のスピーカ２０２から出力させる。音声に変換される内容は、例えばニュースの概要である（１１２２の列）。  
情報転送の転送種別は電子メールであり、*2@*2.co.jpの宛先アドレスに送信する。転送する情報は、検索したＲＳＳの中で通知条件に一致した<title>に記述されている内容と、その階層下にある<description>に記述されている内容であり、それぞれ電子メールの題名と本文に挿入して送信する。更に、<link＞に記述されているリンク先のＵＲＬから情報を取得してそのファイルを添付する。添付ファイルは、例えばニュース番組の動画ファイルである（Ｓ１１２３の列）。
【００４３】
二つ目（１１２８の行）は、メーカの製品情報に関するＷＥＢサイトの検索を例にしている。１１２１の列の検索場所に記述されている「Push」は、サーバからの情報配信を意味している。
http://**4.co.jpから配信されるＲＳＳの<title>とその階層下の<category>の記述内容を検索し、<title>に「新製品」または「新商品」または「発売」の記述が存在し、<category>に「家電」の記述が存在する場合に、情報の存在通知および情報転送を行う１１２１の列）。  
情報通知方法は、音声呼び出し機能を使った通知である。定型文（新着情報をアップしました）を音声合成技術により音声データに変換し、自動的に電話端末２００のスピーカ２０２から出力させる（１１２２の列）。
転送種別はアップロードであり、１７２．１６．２０．１のアドレスを有するサーバ（例えばファイルサーバ）に情報をアップロードする。検索したＲＳＳの中で、通知条件に一致した<title>の階層下にある<link>に記述されているリンク先のＵＲＬから情報を取得して、サーバにアップロードする。取得する情報は例えばカタログなどの電子データであり、アップロードのための通信プロトコルにＦＴＰ（File  Transfer  Protocol）などを用いる。
【００４４】
図４は、電話端末２００に対する着信に係わる信号とデータの一例をフレーム形式にて模式的に示したものである。通常の呼制御に使用される信号フレームやデータフレームの構造と同じであることが本実施形態での重要なポイントであり、情報通知を意識せずに設計された電話端末においても本発明のサービスを受けられることが特徴の一つである。
尚、ＩＰヘッダーやＭＡＣヘッダーなどのＩＰ通信に係わる部分は省いている。  
【００４５】
図の９００は制御種別、９０１は発信者番号、９０２は電話端末の回線ボタンの位置を表す番号、９０３はＬＥＤ表示のパラメータ、９０４は鳴動の起動・停止、９０５は音声呼び出しの起動・停止、９０６はＬＣＤ表示のパラメータを示す。
【００４６】
図の（ａ）は、情報通知をＬＥＤ表示で行う場合の信号フレームであり、制御種別は着信、発信者番号は通常の着信では無いためＮＵＬＬ、ＬＥＤ表示を行う回線ボタンは１５番、９０４の鳴動および９０５の音声呼び出しおよび９０６のＬＣＤ表示はＯＦＦで、９０３のＬＥＤ表示のみがＯＮになっている。  
この場合、情報通知があると、回線ボタン１５番のＬＥＤが、パターン２（予めインプリメントされた点滅パターンの種類）、点灯色赤色で点滅する。
【００４７】
（ｂ１）は、情報通知を鳴動音で行う場合の信号フレームであり、９０３のＬＥＤ表示、９０５の音声呼び出し、９０６のＬＣＤ表示はＯＦＦで、９０４の鳴動のみがＯＮになっている。
また、（ｂ２）のデータフレームで鳴動音を符号化したデータを送信する。データフレームはデータの種別９０７と符号化の方式（規格や送信周期）と符号化されたデータ９０６で構成され、周期的に送信される。  
【００４８】
（Ｃ１）は情報通知を音声呼び出しで行う場合の信号フレームであり、９０３のＬＥＤ表示、９０４の鳴動、９０６のＬＣＤ表示はＯＦＦで、９０５の音声呼び出しのみがＯＮになっている。
また、（Ｃ２）のデータフレームにて、音声合成技術で生成および符号化された、情報の音声データを送信する。フレームの構成は（ｂ２）と同じだが、種別が異なる。  
【００４９】
（ｄ）は情報通知をＬＣＤ表示で行う場合の信号フレームであり、９０３のＬＥＤ表示、９０４の鳴動、９０５の音声呼び出しはＯＦＦで、９０６のＬＣＤ表示がＯＮになる。
ＬＣＤ表示９０６には、表示する文字データ又はキャラクタデータが挿入される。  
【００５０】
図５は、呼制御サーバ１００の情報検索処理を示すフローチャートである。本処理以降図７まで、１つの電話端末２００の一つの情報検索通知条件に対する処理を示すが、複数の電話端末２００および、同じ電話端末２００に対する複数の情報検索通知条件に対して同じ処理が行われる。
【００５１】
まず、情報検索開始のタイミングであるか否か（Ｓ１００）と、特定のＷＥＢサイトから情報が配信されたか否か（Ｓ１０１）を判定する。情報検索開始のタイミングは、一つの電話端末２００および一つの情報検索通知条件に対して、一定時間周期、年月日、曜日、時刻によって予め定められているか、もしくは不定期に行われるユーザの端末操作などによって生じる。情報の配信は、インターネットもしくはイントラネットのサーバが自発的に行うものである。
【００５２】
情報検索開始のタイミングになった場合（Ｓ１００でＹＥＳ）、登録部１１２の情報検索通知条件ＴＢ１１２１に示される検索場所（インターネットおよびイントラネットのＵＲＬ）にアクセスして、検索する情報を取得する（Ｓ１０２）。  
【００５３】
次に、情報検索通知条件ＴＢ１１２１の通知条件に従って取得した情報の検索行い（Ｓ１０３）、検索条件を満足しているか否かを判定する（Ｓ１０４）。検索条件を満足している場合（Ｓ１０４でＹＥＳ）、検索した情報が新情報もしくは以前検索した情報から更新されているか否かを判定する（Ｓ１０５）。更新されているか否かは、例えばＲＳＳのＰＵＢＤＡＴＥと記された要素の中に記述されている更新日時により確認することができる。
【００５４】
新情報もしくは更新された情報の場合（Ｓ１０５でＹＥＳ）、図６へ進んで情報の存在を通知する処理を行う。
【００５５】
特定のＷＥＢサイトから情報が配信された場合（Ｓ１０１でＹＥＳ）、Ｓ１０２をジャンプして、配信された情報に対するＳ１０３以降の処理を行う。
【００５６】
取得した情報を検索した結果、検索通知条件を満足していないか、もしくは通知済みの情報であった場合（Ｓ１０４もしくはＳ１０５でＮＯ）、Ｓ１００に戻って次の情報検索開始のタイミングおよび情報の配信を待つ。  
【００５７】
図６は、呼制御サーバ１００が電話端末２００に情報の存在を通知する処理を示すフローチャートである。
【００５８】
まず、登録部１１２の情報の存在通知方法ＴＢ１１２２を参照する（Ｓ２００）。  
【００５９】
次に、情報通知方法が、鳴動、ＬＥＤ表示、音声呼び出し、ＬＣＤ表示の何れであるかを判定する（Ｓ２０１、Ｓ２０４、Ｓ２０７、Ｓ２１２）。
尚、通知方法が登録されていない場合（Ｓ２１２でＮＯ）、図７へ進み情報転送処理を行う。本説明では４つの通知方法を示しているが、電話端末２００に対する着信機能は他にもあり、この限りではない。
【００６０】
通知方法が鳴動の場合（Ｓ２０１でＹＥＳ）、情報の存在通知方法ＴＢ１１２２から鳴動のパラメータを参照し（Ｓ２０２）、電話端末２００のアドレス（または電話番号）と鳴動指示およびパラメータを呼制御部へ通知し（Ｓ２０３）、呼制御処理を起動する（Ｓ２１７）。
【００６１】
通知方法がＬＥＤ表示の場合（Ｓ２０４でＹＥＳ）、情報の存在通知方法ＴＢ１１２２からＬＥＤ表示のパラメータを参照し（Ｓ２０５）、電話端末２００のアドレスとＬＥＤ表示の指示およびパラメータを呼制御部へ通知し（Ｓ２０６）、呼制御処理を起動する（Ｓ２１７）。  
【００６２】
通知方法が音声呼び出しの場合（Ｓ２０７でＹＥＳ）、情報の存在通知方法ＴＢ１１２２から音声呼び出しのパラメータを参照する（Ｓ２０８）。
【００６３】
次に、音声呼び出しのパラメータに従い音声に変換する情報を取得するが（Ｓ２０９）、図５で検索したＲＳＳの中に変換する情報が含まれる場合は取得済みのＲＳＳから情報を抽出する。
また、検索したＲＳＳに変換する情報が含まれない場合は、指定のＷＥＢサイトにアクセスして情報を取得する。予め指定された定型文を音声に変換する場合は、情報の存在通知方法ＴＢ１１２２に定型文が指定され、それを抽出する。
【００６４】
次に、取得した情報を音声データに変換し（Ｓ２１０）、電話端末２００のアドレスと音声呼び出しの指示および音声データを呼制御部へ通知し（Ｓ２１１）、呼制御処理を起動する（Ｓ２１７）。  
【００６５】
通知方法がＬＣＤ表示の場合（Ｓ２１２でＹＥＳ）、情報の存在通知方法ＴＢ１１２２からＬＣＤ表示のパラメータを参照する（Ｓ２１３）。
【００６６】
次に、ＬＣＤ表示のパラメータに従い表示する情報を取得するが（Ｓ２１４）、図５で検索したＲＳＳの中に表示する情報が含まれる場合は、取得済みのＲＳＳから情報を抽出する。
また、検索したＲＳＳに表示する情報が含まれない場合は、指定のＷＥＢサイトにアクセスして情報を取得する。予め指定された定型文を表示する場合は、情報の存在通知方法ＴＢ１１２２に定型文が指定され、それを抽出する。
【００６７】
次に、取得した情報をＬＣＤへの表示データに変換し（Ｓ２１５）、電話端末２００のアドレスと、ＬＣＤ表示の指示およびパラメータを呼制御部へ通知し（Ｓ２１６）、呼制御処理を起動する（Ｓ２１７）。  
【００６８】
Ｓ２１７で呼制御処理を起動した後は、図７へ進み情報転送処理を行う。
【００６９】
図７は情報転送処理を示すフローチャートである。本処理は、本説明のように情報検索通知処理毎に自動的に行っても良いし、電話端末２００に特定の操作を割り当てて、ユーザの操作によって行っても良い。その場合、電話端末２００から特定の操作を示す信号を受信した後、本処理が開始される。
【００７０】
まず、情報転送方法ＴＢ１１２３を参照し（Ｓ３００）、情報取得場所から情報を取得する（Ｓ３０１）。
ここで、図５で検索したＲＳＳの中に転送する情報が含まれる場合は取得済みのＲＳＳから情報を抽出する。
また、検索したＲＳＳに転送する情報が含まれない場合は、指定のＷＥＢサイトにアクセスして情報を取得する。
【００７１】
次に、転送先がプリンタ、ファクシミリ、電子メール、外部記憶装置の何れであるかを判定する（Ｓ３０２、Ｓ３０５、Ｓ３０８、Ｓ３１０）。転送先が登録されていない場合（Ｓ３１０でＮＯ）、図５に戻って次の情報検索開始のタイミングもしくは情報配信を待つ。
【００７２】
転送先がプリンタの場合（Ｓ３０２でＹＥＳ）、Ｓ３０１の処理で取得した情報をプリンタに対応したデータに変換して（Ｓ３０３）、プリンタドライバを起動後データを送信する（Ｓ３０４）。情報転送方法ＴＢ１１２３に示されるプリンタ名には、プリンタ機種に対応したプリンタドライバと、プリンタのアドレスが関連付けられている。
【００７３】
転送先がＦＡＸの場合（Ｓ３０５でＹＥＳ）、Ｓ３１０で取得した情報をＦＡＸに対応したデータに変換して（Ｓ３０６）、呼制御を起動して転送先ＦＡＸへの自動発信処理とＦＡＸデータを送信する（Ｓ３０７）。  
【００７４】
転送先が電子メールの場合（Ｓ３０８でＹＥＳ）、メーラを起動して（３０９）、Ｓ３０１で取得した情報から、題名、本文、添付ファイルを生成し、情報転送方法ＴＢ１１２３に指定されている宛先アドレスに送信する（Ｓ３１０）。メール送信のプロトコルには、例えばSMTP（Simple  Mail  Transfer  Protocol）を使用する。
【００７５】
転送先が外部記憶装置の場合（Ｓ３１１でＹＥＳ）、Ｓ３１０で取得した情報をファイル化し（Ｓ３１２）、記憶装置に対応したファイル転送プロトコル（例えばＦＴＰ）を起動後、ファイルを送信する（Ｓ３１３）。  
【００７６】
転送処理が終了すると、図５に戻り次の情報検索開始のタイミングもしくは情報配信を待つ。
【００７７】
尚、本説明では４つの転送先を示しているが、転送先は他にもありこの限りではない。
例えば、外部出力装置としてディスプレイ装置があり、動画や静止画などを転送するために、ディスプレイに表示可能な画像フォーマットに変換して転送する。
【００７８】
図８は情報検索、通知、転送の概略シーケンスを示している。
【００７９】
Ｓ４００で電話端末１用の情報検索を行い、情報検索通知条件を満足するならば、電話端末１に対する着信信号（Ｓ４０１）、データフレーム（Ｓ４０２）で通知を行う。
ここで、通知の種別が鳴動やＬＥＤ表示の場合、Ｓ４０２は省略される。
【００８０】
次に、転送する情報を取得する（Ｓ４０３）。ユーザが電話端末２００を操作することで送信される電話端末操作信号を、呼制御サーバが受信すると（Ｓ４０４）、指定されている転送先１に情報を転送する（Ｓ４０４）。ここで、転送する情報がＳ４００で検索した情報に含まれるならばＳ４０３は省略され、呼制御サーバが自動的に情報を転送する設定になっている場合、Ｓ４０４は省略される。
【００８１】
同様の処理が、Ｓ４０６からＳ４１１の電話端末ｎまで行われる。尚、同じ電話端末に対して複数の情報検索通知条件がある場合も、条件毎に同様の処理が行われる。
【００８２】
また、一定時間周期で処理を行う場合は、Ｓ４１２からＳ４１７のように同じ電話端末および情報検索通知条件毎に本処理が繰り返される。
【図面の簡単な説明】
【００８３】
【図１】図１は、本発明の実施の形態に係る呼制御サーバを含む概略システム構成図である。
【図２】図２は、本発明の呼制御サーバ１００の機能ブロック図である。
【図３】図３は、図２の登録部１１２を模式的に表した図である。
【図４】図４は、電話端末２００に対する、着信に係わる信号とデータの一例をフレーム形式で模式的に示した図である。
【図５】図５は、呼制御サーバ１００の情報検索処理を示すフローチャート図である。
【図６】図６は，呼制御サーバ１００が電話端末２００に情報の存在を通知する処理を示すフローチャート図である。
【図７】図７は，呼制御サーバ１００が取得した情報を、特定の外部装置に転送する処理を示すフローチャート図である。
【図８】図８は、情報検索、通知、転送に係わるシステム全体の動作例を示す概略シーケンス図である。
【符号の説明】
【００８４】
１００：呼制御サーバ、２００：電話端末、２０１：電話端末２００の回線ボタン、２０２：電話端末２００の内蔵スピーカ、２０３：電話端末２００のＬＣＤ、２０４：電話端末２００のダイヤルボタン、３００：インターネット／イントラネット、４００：ルータ／ゲートウェイ、５００：ＬＡＮ、６００：データ端末、７００：ネットワークプリンタなどの外部出力装置、８００：ファクシミリなど外部通信装置、１０１：通信インターフェース部、１０２：呼制御部、１０３：ユーザインターフェース部、１０４：情報検索部、１０５：検索情報判定部、１０６：転送情報取得部、１０７：情報加工部、１０８：情報変換部、１０９：情報転送部、１１０：情報通知部、１１１：共通キーワード登録部、１１２登録部、１１２１：情報検索通知条件ＴＢ、Ｓ１１２２：情報の存在通知方法ＴＢ、１１２３：情報転送方法ＴＢ
【図１】
2010034927.tif 000003
【図２】
2010034927.tif 000004
【図３】
2010034927.tif 000005
【図４】
2010034927.tif 000006
【図５】
2010034927.tif 000007
【図６】
2010034927.tif 000008
【図７】
2010034927.tif 000009
【図８】
2010034927.tif 000010